(57)【要約】【課題】墓石などの荷重や地震などに対する床材および外柵の耐久性を高めた墓を提供する。【解決手段】納骨堂２と、外柵３と、床材とを有する。納骨堂２は１対の下側壁材２１と１対の上側壁材２２とから成る。各下側壁材２１は上部に１対の第１切欠部を有し、各上側壁材２２は下部に１対の第２切欠部を有する。各下側壁材２１および各上側壁材２２は各第１切欠部および各第２切欠部により井桁状に組み合わせて構成される。外柵３は納骨堂２より高く納骨堂２から離れて納骨堂２を包囲するよう設けられる。床材は外柵３の内側を被覆している。【選択図】図１
2004131972.tif 000002
【特許請求の範囲】
【請求項１】
納骨堂と、外柵と、床材とを有し、
前記納骨堂は１対の下側壁材と１対の上側壁材とから成り、各下側壁材は上部に１対の第１切欠部を有し、各上側壁材は下部に１対の第２切欠部を有し、各下側壁材および各上側壁材は各第１切欠部および各第２切欠部により井桁状に組み合わせて構成され、
前記外柵は前記納骨堂より高く前記納骨堂から離れて前記納骨堂を包囲するよう設けられ、
前記床材は前記外柵の内側を被覆していることを、
特徴とする墓。
【請求項２】
吸湿性樹脂板を有し、前記吸湿性樹脂板は前記納骨堂と前記外柵との間を被覆し、前記床材は前記吸湿性樹脂板の上に配置されていることを、
特徴とする請求項１記載の墓。
【請求項３】
前記外柵は端部に凹部または凸部を有する複数の部材と化粧部材とから成り、各部材の前記凹部と凸部とを結合させ、各部材の結合部を前記化粧部材により被覆して成ることを、
特徴とする請求項１または２記載の墓。
【発明の詳細な説明】
【０００１】
【発明の属する技術分野】
本発明は、外柵を有する墓に関する。
【０００２】
【従来の技術】
従来の一般的な墓としては、矩形枠状に外柵を設け、外柵内部に納骨堂を形成し、納骨堂を床材で塞いで、その上に墓石などを載せたものが知られている。
【０００３】
また、従来の墓として、特許第３０６０３７５号公報に示すものがある。すなわち、矩形枠状に外枠を設け、納骨堂を形成する間隔をあけ、外枠の内側に接して複数の内枠を配置し、内枠の上を蓋材で覆い、納骨堂の上を墓石および骨蓋で覆って構成されている。
【０００４】
【発明が解決しようとする課題】
しかしながら、従来の一般的な墓では、外柵を大きくした場合、墓石などの重量により床材が割れやすくなるという課題があった。
【０００５】
また、特許公報第３０６０３７５号に示す墓では、外枠が内枠を通して墓石までつながっている。このため、地震が発生したとき、振動しやすい墓石などの揺れが内枠から外枠に伝わりやすく、外枠が割れやすいという課題があった。
【０００６】
本発明は、このような従来の課題に着目してなされたもので、墓石などの荷重や地震などに対する床材および外柵の耐久性を高めた墓を提供することを目的としている。
【０００７】
【課題を解決するための手段】
上記目的を達成するために、本発明に係る墓は、納骨堂と、外柵と、床材とを有し、前記納骨堂は１対の下側壁材と１対の上側壁材とから成り、各下側壁材は上部に１対の第１切欠部を有し、各上側壁材は下部に１対の第２切欠部を有し、各下側壁材および各上側壁材は各第１切欠部および各第２切欠部により井桁状に組み合わせて構成され、前記外柵は前記納骨堂より高く前記納骨堂から離れて前記納骨堂を包囲するよう設けられ、前記床材は前記外柵の内側を被覆していることを、特徴とする。
【０００８】
本発明に係る墓は、１対の下側壁材と１対の上側壁材とを井桁状に組み合わせて成るため、強固な安定した納骨堂を容易に形成することができる。納骨堂は、下側壁材と上側壁材とを井桁状に組み合わせて成るため、特に垂直方向の圧縮力に強く、上に載せる墓石などを単独で支持することができる。このため、重い墓石などの荷重を床材に負担をかけずに支持することができ、床材の耐久性を高めることができる。また、外柵が納骨堂から離れて設けられているため、地震による墓石などの揺れが外柵に伝わりにくく、地震に対して外柵の耐久性を高めることができる。
【０００９】
本発明に係る墓は、吸湿性樹脂板を有し、前記吸湿性樹脂板は前記納骨堂と前記外柵との間を被覆し、前記床材は前記吸湿性樹脂板の上に配置されていることが好ましい。
【００１０】
この場合、吸湿性樹脂板が納骨堂と外柵との間の湿気および床材との間の湿気を吸収し、周囲の湿度を低く保つことができる。このため、外柵の内面や床材の下面を乾燥させ、清潔に保つことができる。
【００１１】
本発明に係る墓では、前記外柵は端部に凹部または凸部を有する複数の部材と化粧部材とから成り、各部材の前記凹部と凸部とを結合させ、各部材の結合部を前記化粧部材により被覆して成ることが好ましい。
【００１２】
この場合、外柵の各部材を金具などで結合しなくても、各部材をしっかりと結合することができ、外柵の耐久性を高めることができる。また、化粧部材が各部材の結合部を覆うため、外観を良くするとともに、その結合部が外側から補強され、頑丈にすることができる。
【００１３】
【発明の実施の形態】
以下、図面に基づき、本発明の実施の形態について説明する。
図１乃至図５は、本発明の実施の形態を示している。
図１乃至図４に示すように、墓１は、納骨堂２と、外柵３と、床材支持体４と、吸湿性樹脂板５と、床材６とを有している。
【００１４】
図２に示すように、納骨堂２は、１対の下側壁材２１と１対の上側壁材２２とから成っている。各下側壁材２１は、細長い長方形の平板状の石材から成って、側面の両端寄りの位置に１対の第１切欠部２１ａを有している。各下側壁材２１は、互いに同一の大きさ、形状を有している。各上側壁材２２は、細長い長方形の平板状の石材から成って、側面の両端寄りの位置に１対の第２切欠部２２ａを有している。各上側壁材２２は、各下側壁材２１と同一の大きさ、形状を有している。
【００１５】
各第１切欠部２１ａおよび各第２切欠部２２ａは、各下側壁材２１および各上側壁材２２の両端から等距離の位置に、長さ方向および厚さ方向に対し垂直に形成され、厚さ方向に貫通している。各第１切欠部２１ａおよび各第２切欠部２２ａは、各下側壁材２１および各上側壁材２２の厚さと等しい幅で、各下側壁材２１および各上側壁材２２の幅に対し半分の深さを有している。
【００１６】
各下側壁材２１は、各第１切欠部２１ａを上部に位置付け、厚みに沿った側面を設置面に沿わせて水平方向に延びるよう配置される。各上側壁材２２は、各第２切欠部２２ａを下部に位置付け、各第２切欠部２２ａの位置で各下側壁材２１の各第１切欠部２１ａと組み合わされる。図１に示すように、納骨堂２は、各下側壁材２１および各上側壁材２２を各第１切欠部２１ａおよび各第２切欠部２２ａにより井桁状に組み合わせて構成される。さらに、各下側壁材２１および各上側壁材２２は、互いにセラミックボンドなどの石材用接着剤で接着することが好ましい。
【００１７】
このとき、各下側壁材２１と各上側壁材２２とは、幅方向に沿った側面が互いに直交する。納骨堂２の上面および下面は、各下側壁材２１と各上側壁材２２との境界で段差を生じることなく、水平面となる。各下側壁材２１および各上側壁材２２は、互いに交差した第１切欠部２１ａおよび各第２切欠部２２ａの位置から両端が外側に突出している。このため、納骨堂２は、安定性が高くなっている。
【００１８】
図１に示すように、外柵３は、複数の細長い長方形の平板状の石材を矩形枠状に配列して成る。外柵３は、納骨堂２を中央付近に配置し、納骨堂２から離れて、納骨堂２を包囲するよう設けられている。外柵３は、納骨堂２より高くなっており、上端面が同一高さで平坦となっている。外柵３の上端面は、内縁部３ａが段差をなして低くなっている。内縁部３ａは、納骨堂２と同一の高さで平坦となっている。
【００１９】
図３に示すように、床材支持体４は、下側支持材４１と上側支持材４２とから成る。下側支持材４１および上側支持材４２は、細長い長方形の平板状の石材から成って、側面の中心付近に切欠部４１ａを有している。下側支持材４１および上側支持材４２は、同一の厚さ、幅を有している。各切欠部４１ａは、下側支持材４１および上側支持材４２の長さ方向および厚さ方向に対し垂直に形成され、厚さ方向に貫通している。各切欠部４１ａは、下側支持材４１および上側支持材４２の厚さと等しい幅で、下側支持材４１および上側支持材４２の幅に対し半分の深さを有している
【００２０】
下側支持材４１は、切欠部４１ａを上部に位置付け、厚みに沿った側面を設置面に沿わせて水平方向に延びるよう配置される。上側支持材４２は、切欠部４１ａを下部に位置付け、切欠部４１ａの位置で下側支持材４１の切欠部４１ａと組み合わされる。図３に示すように、床材支持体４は、下側支持材４１および上側支持材４２をそれぞれの切欠部４１ａにより十字型に組み合わせて構成される。
【００２１】
このとき、下側支持材４１と上側支持材４２とは、幅方向に沿った側面が互いに直交する。床材支持体４の上面および下面は、下側支持材４１と上側支持材４２との境界で段差を生じることなく、水平面となる。下側支持材４１および上側支持材４２が互いに交差して十字型になっているため、床材支持体４は、安定性が高くなっている。床材支持体４は、外柵３の内側で納骨堂２を挟むようこれらから離して２箇所に設置されている。床材支持体４は、納骨堂２および外柵３の内縁部３ａと同一の高さになっている。
【００２２】
図３に示すように、吸湿性樹脂板５は、複数枚から成り、納骨堂２と外柵３との間を被覆している。吸湿性樹脂板５には、押出し発泡ポリスチレン製ボード（ダウ化工株式会社製、商品名「スタイロフォーム」）や硬質ウレタンフォーム製ボードなどを使用することができる。吸湿性樹脂板５は、納骨堂２の上端周囲、外柵３の上端内面および床材支持体４の上端外面にシリコン樹脂系接着剤により気密的に接着され、上面を納骨堂２、外柵３の内縁部３ａおよび床材支持体４の高さと一致させて外柵３の内側に配置されている。
【００２３】
図４に示すように、床材６は、長方形の平板状の石材から成り、吸湿性樹脂板５の上に配置されて、外柵３の内側を被覆している。床材６は、納骨堂２、外柵３の内縁部３ａおよび床材支持体４の上で支持されている。各床材６は、周囲がコーキング材により気密的に目地詰めされている。納骨堂２の内部には麦岩石が例えば５ｃｍ程度の厚さで設けられ、内部が常に乾燥するようになっている。
【００２４】
図４に示すように、墓１は、代表的に、床材６の上に芝台７、中台８、上台９、棹１０を順に重ね、中台８の前に花立１１および水鉢１２を配置し、さらにその前に拝石１３を配置し、香炉１４を載せて構成される。
【００２５】
次に、作用について説明する。
墓１は、１対の下側壁材２１と１対の上側壁材２２とを井桁状に組み合わせて成るため、強固な安定した納骨堂２を容易に形成することができる。納骨堂２は、下側壁材２１と上側壁材２２とを井桁状に組み合わせて成るため、特に垂直方向の圧縮力に強く、上に載せる墓石などを単独で支持することができる。このため、重い墓石などの荷重を床材６に負担をかけずに支持することができ、床材６の耐久性を高めることができる。
【００２６】
墓１は、納骨堂２と外柵３との間に床材支持体４を設けているため、重い墓石などの荷重を床材支持体４にも分担させることができ、床材６の耐久性をさらに高めてある。また、外柵３が納骨堂２から離れて設けられているため、地震による墓石などの揺れが外柵３に伝わりにくく、地震に対して外柵３の耐久性を高めることができる。
【００２７】
墓１は、吸湿性樹脂板５が納骨堂２と外柵３との間の湿気および床材６との間の湿気を吸収し、周囲の湿度を低く保つことができる。このため、外柵３の内面や床材６の下面を乾燥させ、なめくじやこけの発生を防いで、清潔に保つことができる。
【００２８】
なお、図５および図６に示すように、外柵３は、隅部材３１と側面材３２と背面材３３と化粧部材３４とから成ってもよい。この場合、隅部材３１は、外柵３の隅部分に位置し、２つの隣り合う側面に縦溝３１ａを有している。側面材３２および背面材３３は、隅部材３１の縦溝３１ａと嵌合する細長い凸部３２ａを端部に有して、それぞれ隅部材３１に結合している。化粧部材３４は、隅部材３１と側面材３２および背面材３３との結合部の上端を被覆している。さらに、外柵３の正面側部材３５もまた、側面材３２の凸部３２ａと嵌合する縦溝を端部に有して、側面材３２と結合している。化粧部材３４は、側面材３２と正面側部材３５との結合部の上端も被覆している。
【００２９】
図５および図６に示す構成では、外柵３の各部材を金具などで結合しなくても、各部材をしっかりと結合することができ、外柵３の耐久性を高めることができる。また、化粧部材３４が各部材の結合部を覆うため、外観を良くするとともに、外柵３の各部材の結合部が外側から補強され、頑丈にすることができる。
【００３０】
【発明の効果】
本発明によれば、墓石などの荷重や地震などに対する床材および外柵の耐久性を高めた墓を提供することができる。
【図面の簡単な説明】
【図１】本発明の実施の形態の墓の納骨堂および外柵を示す斜視図である。
【図２】図１に示す墓の納骨堂の分解斜視図である。
【図３】図１に示す墓に吸湿性樹脂板を設けた状態を示す斜視図である。
【図４】図１に示す墓の完成状態を示す斜視図である。
【図５】本発明の実施の形態の墓の変形例の（ａ）隅部材を示す斜視図、（ｂ）隅部材を示す平面図、（ｃ）側面材を示す平面図、（ｄ）外柵を示す側面図である。
【図６】図５に示す墓の外柵の平面図である。
【符号の説明】
１　　墓
２　　納骨堂
３　　外柵
４　　床材支持体
５　　吸湿性樹脂板
６　　床材
２１　　下側壁材
２１ａ　第１切欠部
２２　　上側壁材
２２ａ　第２切欠部
【図１】
2004131972.tif 000003
【図２】
2004131972.tif 000004
【図３】
2004131972.tif 000005
【図４】
2004131972.tif 000006
【図５】
2004131972.tif 000007
【図６】
2004131972.tif 000008